(57)【要約】【課題】小幅のイメージセンサ（小判用量産の高精度、低価格のイメージセンサ）を複数個使用して１ラインを読み取る画像読み取り装置を構成した場合に、画質を低下させることなく、コストダウンを図ることにある。【解決手段】複数のイメージセンサからの読み取り出力を画像信号処理部で処理し、画像読取を行う画像読み取り装置において、前記画像信号処理部が前段と後段の２段の画像信号処理部１１，１２とからなり、前記後段の画像信号処理部１２は、複数の前記前段の画像信号処理部１１ａ，１１ｂ，１１ｃから出力された画像データを統合し、統合された画像データから各前段の画像信号処理部１１ａ，１１ｂ，１１ｃ間の画像データを作成し、前記各前段の画像信号処理部１１ａ，１１ｂ，１１ｃ間の画像データを補間し、１ラインの画像データとする。【選択図】図２
2008028662.tif 000002
【特許請求の範囲】
【請求項１】
複数のイメージセンサからの読み取り出力を、画像信号処理部で処理し、画像読取を行う画像読み取り装置において、
前記画像信号処理部が前段と後段の２段の画像信号処理部とからなり、
前記後段の画像信号処理部は、複数の前記前段の画像信号処理部から出力された画像データを統合し、統合された画像データから各前段の画像信号処理部間の画像データを作成し、前記各前段の画像信号処理部間の画像データを補間することを特徴とする画像読み取り装置。
【請求項２】
前記複数の各イメージセンサの読み取り出力からデジタル画像信号を得るまでの信号処理をそれぞれ行う複数のアナログフロントエンドを備え、当該アナログフロントエンド及び前記前側の画像信号処理部は読み取り原稿の主走査幅に対応していることを特徴とする請求項１記載の画像読み取り装置。
【請求項３】
前記アナログフロントエンド及び前記前側の画像信号処理部をそれぞれ個別に制御する制御手段を備えていることを特徴とする請求項２記載の画像読み取り装置。
【請求項４】
前記後段の画像信号処理部は、前記各前段の画像信号処理部から出力された画像データを先頭画素から順番になるように並び替え、各前段の画像信号処理部間の隣接する画素を前後の画像データから推測し、補間を行う処理を前記前段の画像信号処理部から出力された画像データ分だけ行うことを特徴とする請求項１ないし３のいずれか１項に記載の画像読み取り装置。
【請求項５】
前記前段の画像信号処理部は、前記イメージセンサの画素またはセンサチップ毎にガンマ補正を行うガンマ補正手段を備えていることを特徴とする請求項１ないし４のいずれか１項に記載の画像読み取り装置。
【請求項６】
前記前段の画像信号処理部は、センサチップ間の画素について前記画素の走査方向の前後の画像データから補間画素データを作成し、画素補間を行うことを特徴とする請求項１ないし５のいずれか１項に記載の画像読み取り装置。
【請求項７】
前記アナログフロントエンドまたは前記前段の画像信号処理部の自動ゲイン調整を行う手段を備えていることを特徴とする請求項１ないし６のいずれか１項に記載の画像読み取り装置。
【請求項８】
原稿面を照明する複数の光源を備え、各光源はそれぞれ個別に点灯駆動されることを特徴とする請求項１ないし７のいずれか１項に記載の画像読み取り装置。
【請求項９】
前記前段の画像信号処理部または前記後段の画像信号処理部は、前記光源の点灯駆動制御を行うことを備えていることを特徴とする請求項８記載の画像読み取り装置。
【請求項１０】
前記後段の画像信号処理部は、テストパターンを出力することを特徴とする請求項１ないし９のいずれか１項に記載の画像読み取り装置。
【請求項１１】
請求項１ないし１０のいずれか１項に記載の画像読み取り装置を備えていることを特徴とする画像形成装置。
【発明の詳細な説明】
【技術分野】
【０００１】
本発明は、大判サイズの用紙に対応するために、複数のイメージセンサを備えた原稿移動式の画像読み取り装置、及びこの画像読み取り装置を備えた複写機、プリンタ、ファクシミリ及びこれらの機能を複合して有するデジタル複合機等の画像形成装置に関する。
【背景技術】
【０００２】
大判用紙を用いる画像読み取り装置は、密着イメージセンサを用いた原稿移動型が主流である。大判用紙を光学系移動手段で読み取ろうとすると、原稿台が大きくなり、また光学系を移動させるキャリッジも大型になってしまうので現実的ではない。 大判用紙の画像読み取り装置の密着イメージセンサは、主走査方向の長さを少なくとも原稿幅と同じか、それ以上にする必要がある。例えばＡ０サイズの原稿を読み取るにはイメージセンサの長さが８４１ｍｍ以上必要となる。この場合、１つのイメージセンサで構成するのは、技術的に難しく、コストも高くなってしまう。
【０００３】
そこで、複数の汎用性のある小型のイメージセンサを主走査方向に配列し、原稿の走査面からの反射光を各イメージセンサ上に結像し、これらのイメージセンサによって読み取り、画像信号に変換し、変換された画像信号を電気的につなぎ合わせる処理を行うことにより、走査線全体に対応する画像情報を得るようにした画像読み取り装置が知られている。このような方法を採用した画像読み取り装置は、従来から様々なタイプのものが知られている。例えば、原稿の最大幅に対応する長さを有する１本の長尺なリニアイメージセンサ及び結像素子を用いたタイプのもの、複数のリニアイメージセンサ及び結像素子を１つのライン上に結像させるように千鳥状に配列させたタイプのもの（引用文献１参照）、複数のリニアイメージセンサ及び結像素子を複数のライン上に結像させるように千鳥状に配列させたタイプのもの（引用文献２参照）、複数の縮小型イメージセンサに複数の縮小レンズで結像させるようにしたタイプのもの（引用文献３参照）も知られている。
【特許文献１】特開平５−３３６３０１号公報
【特許文献２】特開昭５９−１０５７６２号公報
【特許文献３】特開２００４−１０４６５４号公報
【発明の開示】
【発明が解決しようとする課題】
【０００４】
このように複数の汎用性のある小型のイメージセンサで構成された画像読み取り装置では、イメージセンサ毎に感度等に対する応答性や各出力チャネルの出力部のアンプやアナログ信号処理部のアナログ回路、ＡＤ変換部の特性がそれぞれ異なるため、シェーディング補正によって、白レベルや黒レベルについては各画素とも所定のレベルに補正されるが、出力特性がイメージセンサ毎に異なるため、中間調にバラツキが生じ、コピー出力時にイメージセンサ間で濃度差やムラのある画像となってしまうことがある。
【０００５】
そこで、本発明が解決すべき課題は、小幅のイメージセンサ（小判用量産の高精度、低価格のイメージセンサ）を複数個使用して１ラインを読み取る画像読み取り装置を構成した場合に、画質を低下させることなく、コストダウンを図ることにある。
【課題を解決するための手段】
【０００６】
前記課題を解決するため、第１の手段は、複数のイメージセンサからの読み取り出力を、画像信号処理部で処理し、画像読取を行う画像読み取り装置において、前記画像信号処理部が前段と後段の２段の画像信号処理部とからなり、前記後段の画像信号処理部は、複数の前記前段の画像信号処理部から出力された画像データを統合し、統合された画像データから各前段の画像信号処理部間の画像データを作成し、前記各前段の画像信号処理部間の画像データを補間することを特徴とする。
【０００７】
第２の手段は、第１の手段において、前記複数の各イメージセンサの読み取り出力からデジタル画像信号を得るまでの信号処理をそれぞれ行う複数のアナログフロントエンドを備え、当該アナログフロントエンド及び前記前側の画像信号処理部は読み取り原稿の主走査幅に対応していることを特徴とする。
【０００８】
第３の手段は、第２の手段において、前記アナログフロントエンド及び前記前側の画像信号処理部をそれぞれ個別に制御する制御手段を備えていることを特徴とする。
【０００９】
第４の手段は、第１ないし第３のいずれかの手段において、前記後段の画像信号処理部は、前記各前段の画像信号処理部から出力された画像データを先頭画素から順番になるように並び替え、各前段の画像信号処理部間の隣接する画素を前後の画像データから推測し、補間を行う処理を前記前段の画像信号処理部から出力された画像データ分だけ行うことを特徴とする。
【００１０】
第５の手段は、第１ないし第４のいずれかの手段において、前記前段の画像信号処理部が前記イメージセンサの画素またはセンサチップ毎にガンマ補正を行うガンマ補正手段を備えていることを特徴とする。
【００１１】
第６の手段は、第１ないし第５のいずれかの手段において、前記前段の画像信号処理部がセンサチップ間の画素について前記画素の走査方向の前後の画像データから補間画素データを作成し、画素補間を行うことを特徴とする。
【００１２】
第７の手段は、第１ないし第６のいずれかの手段において、前記アナログフロントエンドまたは前記前段の画像信号処理部の自動ゲイン調整を行う手段を備えていることを特徴とする。
【００１３】
第８の手段は、第１ないし第７のいずれかの手段において、原稿面を照明する複数の光源を備え、各光源はそれぞれ個別に点灯駆動されることを特徴とする。
【００１４】
第９の手段は、第８の手段において、前記前段の画像信号処理部または前記後段の画像信号処理部が前記光源の点灯駆動制御を行うことを特徴とする。
【００１５】
第１０の手段は、第１ないし第９のいずれかの手段において、前記後段の画像信号処理部がテストパターンを出力することを特徴とする請求項１ないし９のいずれか１項に記載の画像読み取り装置。
【００１６】
第１１の手段は、第１ないし第１０の手段に係る画像読み取り装置を画像形成装置が備えていることを特徴とする。
【００１７】
なお、後述の実施形態では、イメージセンサは符号７，７ａ，７ｂ，７ｃに、前段の画像信号処理部は（前）画像信号処理部１１，１１ａ，１１ｂ，１１ｃに、後段の画像信号処理部は（後）画像信号処理部１２に、アナログフロントエンドは符号１０，１０ａ，１０ｂ，１０ｃに、制御手段はＣＰＵ１５に、ガンマ補正手段はガンマ補正部１１−０に、自動ゲイン調整を行う手段は自動ゲイン調整回路（ＡＧＣ回路）１０５に、それぞれ対応する。また、各光源個別の点灯及び点灯制御はそれぞれ図２及び図８から明らかであり、テストパターンは予め後段の画像処理部１２に記憶されている。
【発明の効果】
【００１８】
本発明によれば、後段の画像信号処理部は複数の前段の画像信号処理部から出力された画像データを統合し、統合された画像データから各前段の画像信号処理部間の画像データを作成し、各前段の画像信号処理部間の画像データを補間するので、複数の小幅のイメージセンサを複数個使用して１ラインを読み取る画像読み取り装置を構成した場合に、画質を低下させることなく、コストダウンを図ることができる。
【発明を実施するための最良の形態】
【００１９】
以下、図面を参照し、本発明の実施形態について説明する。
【００２０】
図１は原稿搬送式の画像読み取り装置の読み取り部の概略構成を示す断面図である。この装置は、図示のようにコンタクトガラス１、光源２、セルフォックレンズアレイ３、原稿搬送ローラ４、原稿挿入搬送ローラ５、原稿排出搬送ローラ６、イメージセンサ７、原稿挿入搬送ローラ５に従動する従動コロ８、及び原稿排出搬送ローラ６に従動する従動コロ９を備えている。読み取り対象となる原稿１０は、駆動手段（図示なし）により、図中の矢印方向に原稿挿入搬送ローラ５を回転させ、読み取り部に搬入される。原稿１０は搬送されながら光源２により照明され、その反射光をセルフォックレンズアレイ３によりイメージセンサ７に結像させ、イメージセンサ７によって画像を電気信号として取り出される。
【００２１】
図２は読み取り部の信号処理の詳細を示すブロック図である。図１におけるイメージセンサ７及び光源２は、図２に示すように主走査方向に第１ないし第３のイメージセンサ７ａ，７ｂ，７ｃ、第１ないし第３の光源２ａ，２ｂ，２ｃのそれぞれ３つ配列され、イメージセンサ７ａ，７ｂ，７ｃに結像され、画像情報から電気信号として取り出された信号は、３つのアナログフロントエンド（ＡＦＥ）１０ａ，１０ｂ，１０ｃ、及び（前）画像信号処理部１１ａ，１１ｂ，１１ｃで信号処理され、（前）画像信号処理部１１ａ，１１ｂ，１１ｃから出力された画像データを統合し、画素補間を行う（後）画像信号処理部１２を通り、後段（画像信号処理部等）へ出力される。なお、符号１１は（前）画像信号処理部、符号１２は（後）画像信号処理部であるが、図では、簡単のため、（前）画像信号処理部１１、（後）画像信号処理部１２としている。なお、画素補間については図７を参照して後述する。
【００２２】
図２では、イメージセンサ、光源を３つのブロックに分けているが、（前）画像信号処理部１１の仕様を満足すれば、分割数を限定するものでは、また、ＣＩＳのようにイメージセンサ７、セルフォックレンズアレイ３、光源２がユニットになっているものを主走査方向に複数配列した場合にも、この発明は適用できる。
【００２３】
図３はアナログフロントエンド（ＡＦＥ）１０の詳細を示すブロック図で、アナログフロントエンド１０はイメージセンサ７の出力からデジタル画像信号を得るまでの信号処理を行う。アナログフロントエンド１０は、入力に対し、交流結合後の入力端子電位を規定するためのクランプ回路（ＣＬＭＰ回路）１０−１とイメージセンサ７の出力信号の信号成分のみを取り出すサンプルホールド回路（ＳＨ回路）１０−２、指定した増幅率でＳＨ後の信号を増幅する可変ゲインアンプ（ＶＧＡ）１０−３を備え、アナログデジタル変換回路（ＡＤＣ）１０−４を通してデジタル画像信号として出力される。自動ゲイン調整回路（ＡＧＣ回路）１０−５は、１ラインのピークデータ検出を行い、ピーク値が白レベル目標値になるようにＶＧＡ１０−３のゲインを調整する。なお、クランプ回路１０−１、サンプルホールド回路１０−２、ＡＧＣ回路１０−５はそれぞれターゲット＆インターフェース回路（ＴＧ＆Ｉ／Ｆ）１０−６に接続されている。ＴＧ＆Ｉ／Ｆ回路１０−６には、ＣＬＭＰＩＮ、ＳＨ、ＭＣＬＫ、ＳＣＬＫ、ＳＤ、ＣＳ、及びＳＨＧＴの各信号が入力される。
【００２４】
ここで、アナログフロントエンド（ＡＦＥ）１０は、ＲＧＢ各色（３色）の入力を２系統（Ｅ／Ｏ）持ち、１色当たり２系統の画像信号を１系統に統合し、１色当たりデジタル化された１系統のデジタル画像データを出力する構成のものを使用すると、１色／１ＩＣのものに比べ、基板上の実装面積を小さくできる。また、前述のように構成すると、配線パターンを少なくすることができ、コストも安くすることができる。
【００２５】
アナログフロントエンド（ＡＦＥ）１０から出力されたＲＧＢのデジタル画像データは、（前）画像信号処理部１１でガンマ補正及びイメージセンサを構成しているセンサチップ間の画素補間を行い、最適な画像データになるように処理され、（後）画像信号処理部１２で、第１ないし第３の３つの（前）画像信号処理部１１ａ，１１ｂ，１１ｃから出力されてきたＲＧＢ画像データを先頭画素から順番になるように並べ替え、（前）画像信号処理部１１間の最後と最初の画素を前後の画像データから推測し、補間を行う。補間画素の作成方法は、（前）画像信号処理部１１の補間画素の作成方法と同じ方法を使用する。
【００２６】
このように（後）画像信号処理部１２の補間画素作成についても（前）画像信号処理部１１と同じ方法を使用することにより、補間画素の画像品質の劣化を防ぐことができる。また、（後）画像信号処理部１２に設計上のメモリや回路規模の制約がある場合には、（前）画像信号処理部１１よりも精度を落とした補間画素の作成方法を使用しても、極端な画像品質の劣化を防ぐことができる。
【００２７】
なお、アナログフロントエンド（ＡＦＥ）１０、または（前）画像信号処理部１１は、自動ゲイン調整（ＡＧＣ）機能を持ち、図示しない基準白板またはローラのＡＤＣ出力レベルが光量変動、ノイズの影響を受けてもオーバフローしない範囲で、できるだけＡＤＣ回路１０４のダイナミックレンジを広く使用できるように調整する。
【００２８】
このようにＡ０判等の幅広の用紙を扱う画像読み取り部に、小判用量産の高精度、低価格の機能要素であるイメージセンサ７、（前）画像信号処理部１１を用いることにより画像品質を低下させることなく、コストダウンを図ることができる。
【００２９】
また、アナログフロントエンド１０、または（前）画像信号処理部１１に自動ゲイン調整（ＡＧＣ）機能を持たせることにより、複数のイメージセンサ７のブロック単位で、ゲインの調整を行うことができる。これにより、読取原稿の主走査幅に対応させて動作を行うときに有効になる。また、制御を司るＣＰＵ負荷の低減、画像読み取り装置の立ち上げ時間の短縮を図ることができる。
【００３０】
また、（前）画像信号処理部１１から出力された画像データを統合、画素補間を行う、（後）画像信号処理部１２を設けることで、後段の画像信号処理部への画像データの受け渡しをスムーズに行うと共に、画像品質の低下を防ぐことができる。また、アナログフロントエンド１０を、１色／１ＩＣのものではなく、３色／１ＩＣのものを使用するようにすれば、基板上の実装面積を小さく、配線パターンを少なく、コストも安くすることができる。
【００３１】
図４は図２の画像読み取り装置に対して更に、操作パネル１３、原稿サイズ検知センサ１４及びＣＰＵ１５を設けた例を示すブロック図である。（前）画像信号処理部１１はイメージセンサ７の画素またはセンサチップ毎にガンマ補正を行う機能を有する。そこで、図４に示すように、ＡＦＥ１０及び（前）画像信号処理部１１に対して操作パネル１３によって設定される原稿サイズ設定や、原稿サイズ検知センサ１４の出力信号から、主走査方向の原稿サイズ（幅）を検出し、主走査方向の原稿サイズに応じて必要なアナログフロントエンド１０、（前）画像信号処理部１１を動作させ、主走査方向の原稿サイズに当てはまらないアナログフロントエンド１０、（前）画像信号処理部１１は、動作させないようにＣＰＵ１５を用いて制御する。動作させないようにするとは、アナログフロントエンド１０あるいは（前）画像信号処理部１１の電源の供給を止め、あるいはイネーブル信号を制御し、動作しない状態とすることを意味する。
【００３２】
このように処理すると、Ａ０判等の幅広の用紙を扱う画像読取部を構成しているアナログフロントエンド１０及び（前）画像信号処理部１１を読取原稿の主走査幅に対応させて動作させることにより省エネを実現できる。
【００３３】
（後）画像信号処理部１２は、（前）画像信号処理部１１から出力された画像データに対応した処理を行うが、ここにいう画像データに対応した処理とは、（後）画像信号処理部１２の（前）画像信号処理部１１から出力されてきた画像データを先頭画素から順番になるように並び替え、各（前）画像信号処理部１１ａ，１１ｂ間、１１ｂ,１１ｃ間の最後と最初のところの画素を前後の画像データから推測し、補間を行う処理を（前）画像信号処理部１１から出力された画像データ分だけ行うということを意味する。
【００３４】
このように（後）画像信号処理部１２を（前）画像信号処理部１１から出力された画像データに対応した処理を行うことにより、（後）画像信号処理部１２の処理速度を早くすることができる。
【００３５】
また、前述のように（前）画像信号処理部１１はガンマ補正機能を持ち、画素毎またはセンサチップ毎にガンマ補正を行う。図５はガンマ補正部を示すブロック図である。ガンマ補正部１１−０は、ガンマ補正に必要なデータを作成するガンマ補正データ作成部１１−１と、ガンマ補正データ作成部１１−１で作成されたガンマ補正データを保存するメモリ１１−２と、ガンマ補正を行うガンマ補正回路１１−３によって構成されている。すなわち、前段のＡＦＥ１０から転送された画像データは黒補正部１１−４で黒補正が行われ、白補正部１１−５で白補正が行われる。黒補正部１１−４は光源を消灯して光がない状態でイメージセンサ７が読み取った出力について黒基準を設定し、白補正部１１−５は光源を点灯したときの図示しない白基準板の読み取り出力を白基準とする白基準を設定するものである。ここでは入出力は１本しか図示されていないが、ＲＧＢ各色について行われる。
【００３６】
ガンマ補正部１１−０では、複数の濃度パターンで表わせられるテストチャート（図９参照）等を読み取ることによってガンマ補正データを作成する。作成されたデータはデータ作成メモリ１１−２に記憶され、ガンマ補正回路１１−３に入力されるＲＧＢ各色のデータについてはガンマ補正を行う際に読み出して、ガンマ補正を実行する。ガンマ補正回路１１−３からは補正された画像データが出力される。
【００３７】
このように（前）画像信号処理部１１に、画素毎またはセンサチップ毎にガンマ補正を行う機能を持たせることにより、イメージセンサの画素またはセンサチップ毎の特性のバラツキを低減させることができ、画像品質の低下を防ぐことができる。
【００３８】
図６は補正データを使って第２のイメージセンサ７ｂのセンサチップ１のガンマ特性を第２のイメージセンサ７ｂのセンサチップ２のガンマ特性に補正するときの状態を示す説明図である。補正データＡＭＤは、図示しない複数の濃度パターンで表わされたテストチャートを読み取ることによって得られた出力データからガンマ補正データ作成部１１１において作成する。この場合、補正データＡＭＤはセンサチップ１のガンマ特性をセンサチップ２のガンマ特性に合わせるための矢印で示した補正を行うデータである。補正データＡＭＤを作成するためにサンプルする画素またはチップは、場所、数を任意に選択することができる。この選択は、前述の操作パネル１３等を用いて行う。すなわち、図６では、８画素を１つのセンサチップとして構成しており、センサチップ１と２のガンマ特性が図６（ｃ）のような場合、図６（ｄ）において点線で示すセンサチップ１のガンマ特性を、実線で示すセンサチップ２の特性に合わせ、センサチップ１とセンサチップ２間の読み取りデータの不連続性をなくすようにしている。
【００３９】
図６の例では、（前）画像信号処理部１１において隣接するセンサチップでガンマ補正を行って連続性を保持するようにしているが、図７（ａ）に示すように補間を行わない場合、隣接するセンサチップ１と２の画像データ、あるいはセンサチップ２と３の画像データが不連続になる場合がある。図７（ａ）のようにイメージセンサをつないで配置する場合、センサチップｎとセンサチップ（ｎ＋１）間の画像データを読み取ることができなくなってしまう。そこで、図６に示した方法とは別の方法として、センサチップ間の画素について前後の画像データから補間画素データを作成し、画素補間をするように構成することもできる。
【００４０】
すなわち、図７に示すように補間を行う画素位置のまわりの画像情報から補間画素の画像データを作成し、画素補間を行う。そこで、図７（ｂ）に示すように隣接するセンサチップ１と２の画像データ、あるいはセンサチップ２と３の画像データとの間に補間データＤＩ１及びＤＩ２を挿入して不連続性を緩和する。この場合の補間データは、図７（ｃ）に示すように、センサチップｎのセンサチップｎ＋１と隣接する画素の濃度Ｌ１と、センサチップｎ＋１のセンサチップｎと隣接する画素の濃度Ｒ１とから平均値を、
ＤＩ＝（Ｌ１＋Ｒ１）／２
によって算出し、その値をセンサチップｎとセンサチップｎ＋１の隣接画素の値として使用する。ここでは、補間画素の画像データを左右１画素の平均を取るようにしているが、画素数は適宜選択することが可能であり、作成方法がこれに限定されるものではない。
【００４１】
このように（前）画像信号処理部１１に、センサチップ間の画素を、前後の画像データから補間画素データを作成し、画素補間をする機能を持たせることにより画像品質の低下を防ぐことができる。
【００４２】
一方、画像読み取り装置として図８に示すように複数の光源（ブロック）２ａ，２ｂ，２ｃをそれぞれ個別に点灯駆動できるようにし、（前）画像信号処理部１１（または（後）画像信号処理部１２）は、光源（ブロック）２ａ，２ｂ，２ｃの点灯駆動制御を行うように構成することもできる。このように（前）画像信号処理部１１、または（後）画像信号処理部１２によって光源（ブロック）２の点灯駆動制御を行うことができるように構成すると、読み取り原稿の主走査幅に対応させて動作を行うときに有効になり、省エネを実現できる。
【００４３】
なお、（後）画像信号処理部１２は、図６を参照して説明したセンサチップのガンマ補正を行うためのテストチャートのパターン（テストパターン）を記憶しており、後述の画像形成装置に前記テストチャートを出力させ、このテストチャートを画像読み取り装置で読み込むことにより補正データを取得することができる。これにより、画像読み取り装置の故障検出の精度、異常画像解析の精度、（後）画像信号処理部１２の検査精度を向上させることができる。
【００４４】
図１０は本発明の実施形態に係る画像形成装置としての広幅デジタル複写機の概略構成を示す図である。同図において、給紙部１００の上に画像形成部２００が、更に画像形成部２００の上に読取部（スキャナ部）３００が装着され、全体としてデジタル複写機を構成している。以下、動作とともに各部の構成について述べていく。
【００４５】
まず、読取部３００の原稿台３０１上に原稿をおき、この原稿を１枚ずつ読取部３００に給紙する。給紙された原稿は密着イメージセンサ（ＣＩＳ）３０２により画像情報が読み取られ、画像読み取り後に排紙トレイ上に排紙される。原稿台３０１上の原稿は、図示省略のサイドフェンスにより幅方向（搬送方向に直交する方向の端部）が揃えられ、給紙ローラ３０３により給紙され、密着イメージセンサ３０２の下側に搬送される。原稿台３０１上には、原稿幅検知センサ及び原稿長さ検知センサが設けられている。両センサにより、原稿台３０１から送られる原稿のサイズを検知する。密着イメージセンサ３０２下の原稿はＬＥＤアレイや蛍光灯などの光源により露光され、反射光がロッドレンズアレイに通してイメージセンサ上に結像され、イメージセンサによって光電変換が行われる。原稿読み取り終了後は、原稿は搬送ローラ３０４及び排紙ローラ３０５によって排紙トレイ上に排紙される。なお、図５では、密着イメージセンサ３０２の配置は図１とは逆の配置となっているが、これらは読み取り原稿の原稿面に対向していれば、上下位置の相違は相対的な話である。
【００４６】
画像形成部２００は現像部２０１、定着部２０２、排紙部２０３を備え、密着イメージセンサ３０２に読み取られた画像信号は画像処理され、ＬＥＤ書き込み部２０４により、帯電器よって一様に帯電された感光体２０５上に光書き込みが行われる。この光書き込みによって感光体２０５上に静電潜像が形成さる。静電潜像はＬＥＤ書き込み部２０４の感光体回転方向下流側に設けられた現像器２０１によってトナー現像され、給紙部１００から給送された記録用紙に対して前記トナー現像されたトナー画像が転写部２０９で転写され、分離部２１０で感光体２０５から分離された後、搬送ベルト２１１によって定着器２０２に搬送される。記録用紙上に転写されたトナー画像は定着器２０２で転写されて、原稿画像の複写が行われ、表面に画像が形成された記録用紙は例えば排紙部２０３の排紙センサ２１６を経て、排紙ローラ２１３によって画像形成部２００上面の排紙トレイ２０６に排出される。
【００４７】
給紙部１００は、上下２段のロール紙トレイ１０１、１０２を有している。このロール紙トレイ１０１、１０２は、装置筐体から図の左方向に引き出し可能となっており、トレイを引き出した状態でロール紙のセットやジャム処理を行うように構成されている。ロール紙トレイ１０１、１０２には、それぞれ２つずつロール紙をセットすることができる。紙管の周囲に巻装された各ロール紙１０３〜１０６は、一対のペーパーホルダ１０７〜１１０を介して給紙部１００にセットされる。各ロール紙に対する給紙ローラ１１１〜１１４がロール紙近傍に配設されている。各給紙ローラ１１１〜１１４により送り出されたロール紙は、トレイ前面側（図の左側）に設けられたロールカッターユニット１１５、１１６で一定の長さに切断され、画像形成部２００へと送り込まれる。このカットされて送り込まれたロール紙は、レジストローラ２０８にて作像タイミングとの同期を取り、感光体２０５に導かれ、感光体２０５上に形成された画像を転写部２０９により転写され、分離部２１０により感光体２０５から分離されて搬送ベルト２１１で定着部２０２へ導かれ、熱的に画像を定着される。画像を定着されたロール紙は、排紙部２０３をなす排紙ローラ２１２、２１３によって排紙される。排紙方向は分岐爪２１４により切り替えられ、画像形成部２００上面の排紙トレイ２０６、または画像形成部２００後方の図示しない排紙トレイに排出される。
【００４８】
定着部２０２と排紙ローラ２１２の間、及び排紙ローラ２１２と排紙ローラ２１３の間には、それぞれ排紙センサ２１５、２１６が設けられ、この排紙センサ２１５、２１６によってロール紙が排紙部２０３にあるか否かを判別できるようになっている。
【００４９】
また図示は省略するが、画像形成部２００には、排紙ローラ２１２、２１３を駆動する駆動制御手段を備えるとともに、読取部３００には動作のスタート指示や、搬送するロール紙の情報であるリピートコピーや長尺通紙情報を入力するための操作部を設けてある。
【００５０】
定着部２０２は金属管に離型層を配置した定着ローラと、金属管にゴム層と離型層を配置した加圧ローラと、ＡＣ電力を供給するＡＣ電力供給手段からＡＣ電力が供給されて加熱する主加熱部と、補助電源と、補助電力から供給される電力が供給されて加熱する補助発熱部と、定着ローラに回転駆動力を与えるための電磁モータと、前記補助電源の充電電圧を検出する電圧センサと、前記定着ローラ・加圧ローラの表面温度を検出する温度検出手段と、電磁モータの回転駆動を定着ローラに伝達するための中継ギヤと、電磁モータから中継ギヤを経由して得られる回転力を定着ローラに伝えるための定着駆動ギヤで構成されている。
【００５１】
なお、本発明は本実施形態に限定されるものではなく、特許請求の範囲に記載された本発明の要旨の範囲内において、種々の変形・変更が可能である。
【図面の簡単な説明】
【００５２】
【図１】原稿搬送式の画像読み取り装置の読み取り部の概略構成を示す断面図である。
【図２】読み取り部の信号処理の詳細を示すブロック図である。
【図３】アナログフロントエンド（ＡＦＥ）の詳細を示すブロック図である。
【図４】図２の画像読み取り装置に対して操作パネル、原稿サイズ検知センサ及びＣＰＵを設けた画像読み取り装置の例を示すブロック図である。
【図５】ガンマ補正部を示すブロック図である。
【図６】補正データを使ってセンサチップ１のガンマ特性をセンサチップ２のガンマ特性に補正するときの状態を示す説明図である。
【図７】補間を行う画素位置のまわりの画像情報から補間画素の画像データを作成する例を示す説明図である。
【図８】複数の光源をそれぞれ個別に点灯駆動できるようにし、光源の点灯駆動制御を行うように構成した読み取り部の詳細を示すブロック図である。
【図９】補間データを得るためのテストチャートの一例を示す図である。
【図１０】本発明の実施形態に係る画像形成装置としての広幅デジタル複写機の概略構成を示す図である。
【符号の説明】
【００５３】
２  光源
７，７ａ，７ｂ，７ｃ  イメージセンサ
１０，１０ａ，１０ｂ，１０ｃ  ＡＦＥ
１０−１  ＣＬＭＰ回路
１０−２  ＳＨ回路
１０−３  ＶＧＡ
１０−４  ＡＤＣ
１０−５  ＡＧＣ回路
１１，１１ａ，１１ｂ，１１ｃ  画像信号処理部前段
１１−０  ガンマ補正部
１１−１  ガンマ補正データ作成部
１１−２  データ作成メモリ
１１−３  ガンマ補正回路
１２  画像信号処理部後段
１３  操作パネル
１４  原稿サイズ検知センサ
１５  ＣＰＵ
【図１】
2008028662.tif 000003
【図２】
2008028662.tif 000004
【図３】
2008028662.tif 000005
【図４】
2008028662.tif 000006
【図５】
2008028662.tif 000007
【図６】
2008028662.tif 000008
【図７】
2008028662.tif 000009
【図８】
2008028662.tif 000010
【図９】
2008028662.tif 000011
【図１０】
2008028662.tif 000012